(57)【特許請求の範囲】
【請求項１】
表示装置の表示画面上にカーソルを表示し、座標指示装置からの座標指示信号を受け付けて、当該座標指示信号に沿って前記カーソルを移動させる制御装置を備えた情報処理装置において、
前記制御装置は、前記表示画面上に、自由なカーソルの移動を可能にする自由カーソル移動エリアと、エリア内の複数の選択肢の中で特定の選択肢の１つを常に選択されたフオーカス状態とする固定カーソル移動エリアとを表示し、
前記自由カーソル移動エリアから前記固定カーソル移動エリアへの前記カーソルの進入操作に基づいて、前記自由カーソル移動エリア内での前記カーソルを消去して、前記固定カーソル移動エリアの所定の位置に位置する選択肢をフオーカス状態とし、
前記座標指示装置の座標指示信号をＸ軸方向またＹ軸方向のいずれか一方の信号として受け付けて、いずれか一方の前記座標指示信号をフオーカス状態の移動として受け付け、他方の前記座標指示信号を前記固定カーソル移動エリアから前記自由カーソル移動エリアへの脱出操作として受け付け、
他方の前記座標指示信号は、予め設定される移動量より大きい移動量と判定された場合に、前記固定カーソル移動エリア内でのフオーカス状態を解除して、前記自由カーソル移動エリアの所定の位置にカーソルを表示させる
ことを特徴とする情報処理装置。
【請求項２】
前記請求項１記載の情報処理装置において、
前記制御装置は、前記固定カーソル移動エリアに、一方の前記座標軸信号の方向に沿って前記選択肢が配列し、
前記一方の前記座標軸信号を受け付けて、この座標軸信号と逆の方向に前記固定カーソル移動エリアの画面をスクロールさせる
ことを特徴とする情報処理装置。
【請求項３】
前記請求項１または２記載の情報処理装置において、
前記制御装置は、前記表示画面に、エリア内の操作指示部材を移動させ指示操作とするスイッチエリアを表示し、
前記自由カーソル移動エリアから前記スイッチエリアへの前記カーソルの進入操作に基づいて、前記自由カーソル移動エリア内での前記カーソルを消去して、前記スイッチエリアの所定の位置に配置される前記操作指示部材を選択状態とし、
前記スイッチエリア内では、前記座標指示装置の前記座標指示信号をＸ軸方向またＹ軸方向のいずれか一方の信号として受け付けて、いずれか一方の前記座標指示信号を前記操作指示部材の操作指示として受け付け、他方の前記座標指示信号を前記スイッチエリアから前記自由カーソル移動エリアへの脱出操作として受け付け、
他方の前記座標指示信号は、予め設定される移動量より大きい移動量と判定された場合に、前記スイッチエリア内での選択状態を解除して、前記自由カーソル移動エリの所定の位置にカーソルを表示させる
ことを特徴とする情報処理装置。
【請求項４】
表示装置の表示画面上にカーソルを表示し、座標指示装置からの座標指示信号を受け付けて、当該座標指示信号に沿って前記カーソルを移動させることが可能な情報処理装置の表示方法において、
前記表示画面上に、自由な前記カーソルの移動を可能にする自由カーソル移動エリアと、エリア内の複数の選択肢の中で特定の選択肢の１つを常に選択されたフオーカス状態とする固定カーソル移動エリアとを表示し、
前記自由カーソル移動エリアから前記固定カーソル移動エリアへの前記カーソルの進入操作に基づいて、前記自由カーソル移動エリア内での前記カーソルを消去して、前記固定カーソル移動エリアの所定の位置に位置する選択肢をフオーカス状態とし、
前記座標指示装置の座標指示信号をＸ軸方向またＹ軸方向のいずれか一方の信号として受け付けて、いずれか一方の前記座標指示信号をフオーカス状態の移動として受け付け、他方の前記座標指示信号を前記固定カーソル移動エリアから前記自由カーソル移動エリアへの脱出操作として受け付け、
他方の前記座標指示信号は、予め設定される移動量より大きい移動量と判定された場合に、前記固定カーソル移動エリア内でのフオーカス状態を解除して、前記自由カーソル移動エリアの所定の位置にカーソルを表示させる
ことを特徴とする情報処理装置の表示方法。
【請求項５】
前記請求項４記載の情報処理装置の表示方法において、
前記固定カーソル移動エリアには、一方の前記座標軸信号の方向に沿って前記選択肢が配列され、
前記一方の前記座標軸信号を受け付けて、この座標軸信号と逆の方向に前記固定カーソル移動エリアの画面をスクロールさせる
ことを特徴とする情報処理装置の表示方法。
【請求項６】
前記請求項４または５記載の情報処理装置の表示方法において、
前記表示画面に、エリア内の操作指示部材を移動させ指示操作とするスイッチエリアを表示し、
前記自由カーソル移動エリアからスイッチエリアへの前記カーソルの進入操作に基づいて、前記自由カーソル移動エリア内での前記カーソルを消去して、前記スイッチエリアの所定の位置に配置される前記操作指示部材を選択状態とし、
スイッチエリア内では、前記座標指示装置の前記座標指示信号をＸ軸方向またＹ軸方向のいずれか一方の信号として受け付けて、いずれか一方の前記座標指示信号を前記操作指示部材の操作指示として受け付け、他方の前記座標指示信号を前記スイッチエリアから前記自由カーソル移動エリアへの脱出操作として受け付け、
他方の前記座標指示信号は、予め設定される移動量より大きい移動量と判定された場合に、前記スイッチエリア内での選択状態を解除して、前記自由カーソル移動エリアの所定の位置にカーソルを表示させる
ことを特徴とする情報処理装置の表示方法。
【発明の詳細な説明】
【技術分野】
【０００１】
本発明は、表示画面上で自由なカーソル移動の操作感と、常にどれかをフオーカス状態とする操作感が得られる情報処理装置の表示方法に関するものである。
【背景技術】
【０００２】
情報処理装置では、表示画面上にカーソルを表示し、当該カーソルを座標指示装置を介して表示画面上を自由に移動させて、特定の選択肢を選択する操作が一般的である。一方、テレビジョン受像機などのリモコンを使用する機器では、表示画面上に特定の１つが常に選択（フォーカス状態）された複数の選択肢を表示し、リモコンに設けた十字キーを介してフォーカス状態の選択肢を移動させて、これを決定操作するのが一般的である。
【０００３】
また、従来例では、リモコンにタッチパッドを備えて、情報処理装置の操作感を得ながらテレビ受像機を操作する提案もなされている。
【０００４】
【特許文献１】特開２００３−３４８３７０号公報
【発明の開示】
【発明が解決しようとする課題】
【０００５】
前記タッチパッドを備えたリモコンを採用する従来技術は、ノートパソコンなどで一般に使用されるタッチパッドを採用しているものの、その表示画面における選択操作は、表示画面上に特定の１つが常に選択（フォーカス状態）された複数の選択肢を表示し、リモコンに設けたタッチパッドを介してフォーカス状態の選択肢を移動させて、これを決定操作するものである。
【０００６】
近年、放送のデジタル化や情報装置兼用テレビなどの需要が高まっていることから、テレビなどの選択肢が固定されるフォーカス状態での操作感と、情報処理装置のようにカーソルを自由に移動させることができる操作感を兼用できる表示方法が望まれる。
【０００７】
そこで、本発明の目的は、表示画面上で自由なカーソル移動の操作感と、常にどれかをフオーカス状態とする操作感が得られる情報処理装置とその表示方法を提供することにある。
【課題を解決するための手段】
【０００８】
本発明に係る情報処理装置とその表示方法では、前記目的を達成するために、表示画面上に自由なカーソル移動を可能にする自由カーソル移動エリアと、常に特定の選択肢を選択されたフオーカス状態とする固定カーソル移動エリアとを備えるようにする。
【０００９】
具体的には、本発明に係る情報処理装置とその表示方法では、前記表示画面上に、自由なカーソルの移動を可能にする自由カーソル移動エリアと、エリア内の複数の選択肢の中で特定の選択肢の１つを常に選択されたフオーカス状態とする固定カーソル移動エリアとを表示し、前記自由カーソル移動エリアから前記固定カーソル移動エリアへの前記カーソルの進入操作に基づいて、前記自由カーソル移動エリア内での前記カーソルを消去して、前記固定カーソル移動エリアの所定の位置に位置する選択肢をフオーカス状態とし、前記座標指示装置の座標指示信号をＸ軸方向またＹ軸方向のいずれか一方の信号として受け付けて、いずれか一方の前記座標指示信号をフオーカス状態の移動として受け付け、他方の前記座標指示信号を前記固定カーソル移動エリアから前記自由カーソル移動エリアへの脱出操作として受け付け、他方の前記座標指示信号は、予め設定される移動量より大きい移動量と判定された場合に、前記固定カーソル移動エリア内でのフオーカス状態を解除して、前記自由カーソル移動エリアの所定の位置にカーソルを表示させる。
【発明の効果】
【００１０】
このように、この実施の形態では、１つの表示画面に、カーソルの移動が制限される固定カーソル移動エリア７０と、カーソルの移動が自由な自由カーソル移動エリアが設けられるので、この２つのエリアを使い分けることで、表示画面上で自由なカーソル移動の操作感と、常にどれかをフオーカス状態とする操作感が違和感なくスムーズに操作することができる。
【発明を実施するための最良の形態】
【００１１】
以下、図１から図７を参照して、この実施の形態に係る情報処理装置のカーソル表示方法について具体的に説明する。ここで、図１は情報処理装置の装置構成図である。図２は固定カーソル移動エリアにおけるカーソルの表示に関する動作フロー図である。図３から図５が固定カーソル移動エリアにおけるカーソルの移動を示す画面遷移図である。図６はスイッチエリアにおけるカーソルの表示に関する動作フロー図である。図７がスイッチエリアにおけるカーソルの移動を示す画面遷移図である。なお、同一部位や矢印などは同一符号をもって示し、重複した説明を省略する。
【００１２】
先ず、図１を参照して、この実施の形態に係る情報処理装置を具体的に説明する。図１において、符号１で総括的に示すこの実施の形態に係る情報処理装置は、この情報処理装置１を統括的に制御する制御装置１０と、アンテナやケーブルなどを介してデジタル放送などのコンテンツを取得するチューナ１１と、コンテンツや画像情報などの各種の情報を格納する記憶装置１２と、ケーブルを介してインターネットと接続する通信装置１３と、キーボード１４やマウス１５などの入力装置と接続する外部接続装置１６と、リモコン２０と無線または有線で接続される送受信装置１７と、各種の情報を表示する表示装置１８とを含んで構成される。この実施の形態に係る情報処理装置１は、制御装置１０とチューナ１１と記憶装置１２と通信装置１３と外部接続装置１６と送受信装置１７を筺体１９内に収めている。
【００１３】
この制御装置１０は、パーソナルコンピュータとしての機能と、テレビジョン受像機としての機能と、画像記録再生装置としての機能を兼ね備えている。このため、キーボード１４やマウス１５などの入力装置に加えて、遠隔操作可能なリモコン２０を備えている。
【００１４】
リモコン２０は、表示装置１８の表示画面５０上に表示されるカーソル５１の座標を指示するタッチパネル２１と、各種の操作が割り当てられた操作スイッチ群２２と、前記送受信装置１７と操作信号を送受信する図示しない送受信装置を備えている。このリモコン２０はコードを介して制御装置１０と接続することもできる。このリモコン２０は、タッチパネル２１を摩る操作を介して、表示装置１８の表示画面５０上に表示されるカーソル５１を摩る方向に移動させることができる。また、タッチパネル２１は、タッチする圧力を識別して、軽くタッチするとカーソル６１の座標位置を受け付け、強くタッチすると決定操作を受け付けることができる。また、この実施の形態では、タッチパネル２１の強くタッチする操作に替わる操作として、操作スイッチ群２２の特定のボタンを操作することでも、決定操作を行うことができる。
【００１５】
そして、この実施の形態に係る情報処理装置１の大きな特徴の１つは、表示画面５０上に自由なカーソル５１の移動を可能にする自由カーソル移動エリア６０と、常に特定の選択肢７１をカーソル５１で選択されたフオーカス状態７２（選択状態）とする固定カーソル移動エリア７０を備えた点にある。
【００１６】
即ち、図１で示す表示画面５０は、複数の選択肢７１が表示される固定カーソル移動エリア７０を備えている。制御装置１０は、表示画面５０上に設定される固定カーソル移動エリア７０では、カーソル５１が常に選択肢７１の何れか１つを選択状態であるフォ−カス状態とするように設定し、他の固定カーソル移動エリア７０以外を自由なカーソル５１の移動を確保する自由カーソル移動エリア６０とするように制御動作する。
【００１７】
この実施の形態では、前記固定カーソル移動エリア７０には、複数の選択肢７１を構成するアイコンが左右方向に配列される。制御装置１０は、カーソル５１が固定カーソル移動エリア７０に入ったことを確認すると、予め設定されたホームポジション（この実施の形態では中央）に位置する選択肢７１ａのアイコンをフォカス状態とする。ここで、この実施の形態では、カーソル５１がいずれの位置から入ったとしても、予め設定されるホームポジションに位置する選択肢７１ａをフォカス状態とするが、カーソル５１が固定カーソル移動エリア７０に入った位置に最も近い選択肢７１をフォカス状態としてもよい。
【００１８】
このように、この実施の形態では、１つの表示画面５０に、カーソル５１の移動が制限される固定カーソル移動エリア７０と、カーソル５１の移動が自由な自由カーソル移動エリア６０が設けられるので、２つのエリアを使い分けた操作方法を取ることができる。
【００１９】
また、この実施の形態に係る情報処理装置１の他の大きな特徴の１つは、固定カーソル移動エリア７０からカーソル５１が脱出する手段として特定の座標軸方向（Ｙ軸方向）を設定し、他の座標軸方向（Ｘ軸方向）を固定カーソル移動エリア７０内での特定の指示（フォカス状態の移動）に割り当てた点にある。即ち、この実施の形態では、座標指示装置であるタッチパネル２１のＹ方向の指示を固定カーソル移動エリア７０からのカーソル５１の脱出をする手段として割り当て、他のＸ軸方向を複数の選択肢７１の選択に割り当てている。
【００２０】
また、脱出する手段である固定カーソル移動エリア７０内でカーソル５１の移動が少々の移動量で実行されると、誤操作の元と成る。特に、タッチパネル２１でのタッチ操作は精度のよいものではないので、この実施の形態では、予め設定されたＹ軸方向への移動量が少ないないと、この指示操作を無効とするように設定している。
【００２１】
また、Ｘ軸方向の移動指示に割り当てられた複数の選択肢７１の選択は、固定カーソル移動エリア７０内で１度に複数の選択肢７１を表示できない場合は、ホームポジションの位置を、例えば、固定カーソル移動エリア７０内の中央に固定し、この固定カーソル移動エリア７０内を座標指示装置で指示する方向と逆方向に画面をスクロールさせ、ホームポジン（中央）に移動してくる選択肢７１を順次フオーカス状態とし、画面スクロールができない状態となったときに始めて座標指示装置で指示する方向にフォカス状態を移動させて、特定の選択肢７１を選択するようにする。
【００２２】
このように、この実施の形態では、座標指示装置の指示操作だけで、２つのエリアのカーソル５１の移動を同様な操作で行うことができる。
【００２３】
また、この実施の形態に係る情報処理装置１の他の大きな特徴の１つは、自由カーソル移動エリア６０にスイッチエリア８０を設定可能とした点にある。即ち、このスイッチエリア８０は、このエリアにカーソル５１が入ると、当該スイッチエリア８０にも設けられる指示部材８１を選択状態８２として操作可能とする。そして、座標指示装置で指示される特定の方向（Ｙ軸方向）を、このスイッチエリア８０からカーソル５１を脱出する手段に設定し、座標指示装置で指示される他の方向（Ｘ軸方向）を当該指示部材８１を移動させる手段、即ちスイッチの操作を実行するように設定する。ここで、スイッチエリア８０からの脱出に際しては、固定カーソル移動エリア７０の脱出と同様に所定の移動量を持って実行するようにする。
【００２４】
このように、この実施の形態では、固定カーソル移動エリア７０と同様な操作で設定できるスイッチエリア８０を設けることができるので、自由カーソル移動エリア６０内に、複数の選択肢７１から特定の選択肢７１を選択する固定カーソル移動エリア７０と、特定の操作を指示するスイッチエリア８０を設けることができるので、これらを組み合わせて多様な操作指示を選択するメニュー画面を設定することができる。
【００２５】
以下、図２から図７を参照して、更に、この実施の形態に係るカーソルの表示方法を説明する。
【００２６】
先ず、図３から図５及び図７の画面遷移図を参照しながら、図２と図６の動作フローチャートを基に固定カーソル移動エリアにおけるカーソルの操作方法を説明する。
【００２７】
図２において、この実施の形態に係る制御装置１０は、特定の操作指示を受け付けると、図３の（ａ）図に示す表示画面５０を表示装置１８に表示する（ステップ１０１）。この図３の（ａ）図に示す表示画面５０は、メニュー画面を構成するものであり、自由カーソル移動エリア６０に、固定カーソル移動エリア７０とスイッチエリア８０を備えている。例えば、固定カーソル移動エリア７０には、横方向に複数の選択肢７１であるアイコンが仮想的に存在し、その一部が固定カーソル移動エリア７０に表示されている。また、例えば、スイッチエリア８０は、固定カーソル移動エリア７０の表示倍率などを操作することができ、指示部材８１を左右に移動させることにより、その倍率を変化させることができる。
【００２８】
この表示画面５０は、一例であって、固定カーソル移動エリア７０とスイッチエリア８０の個数や割り当てられる機能は、この一例に限定されるものではない。
【００２９】
制御装置１０は、この表示画面５０を表示すると、自由カーソル移動エリア６０の所定の位置にカーソル５１を表示する。そして、制御装置１０は、この自由カーソル移動エリア６０内では、使用者がタッチパネル２１をタッチして、そのタッチした位置から移動する移動量や移動方向をそのまま受け付けて、この移動量と移動方向にカーソル５１を移動させる。
【００３０】
一方、制御装置１０は、固定カーソル移動エリア７０やスイッチエリア８０では、（ｂ）図に示すように、タッチした位置から移動する移動量や移動方向をＸ方向とＹ方向に特定する。この実施の形態では、使用者がタッチパネル２１にタッチした位置を基準Ｐとして、その移動する方向が、例えば、Ｐ１のように４５度未満であればＸ軸方向の操作として判定し、Ｐ２のように４５度以上であればＹ軸方向の操作として判定する。この実施の形態では、移動量はＸ軸、またはＹ軸に投影した移動量としているが、そのままの移動量をカーソル５１の移動量としてもよい。
【００３１】
図２に戻り、制御装置１０は、図４（ａ）図に示すように、カーソル５１が固定カーソル移動エリア７０に入ると、カーソル５１を消して、固定カーソル移動エリア７０のホームポジションに位置する選択肢７１をフオーカス状態７２（斜線で示す）とする（ステップ１０６）。この実施の形態では、固定カーソル移動エリア７０の左右方向の中央をホームポジションと設定している。そして、制御装置１０は、図３の（ｂ）図で説明したように、座標指示がＸ軸方向に操作されたか（ステップ１０７）あるいはＹ軸方向に操作されたか（ステップ１０）あるいは決定操作がなされたか否か（ステップ１１１）を監視する。この実施の形態では、Ｘ軸方向（左右方向）の操作を選択肢７１の選択操作の機能とし、Ｙ軸方向（上下方向）の操作を固定カーソル移動エリア７０から抜け出す操作の機能に割り当てている。
【００３２】
制御装置１０は、図４（ｂ）図に示すように、例えば、タッチパネル２１による左側方向への移動操作を受け付けると、固定カーソル移動エリア７０の表示をタッチパネル２１による指示方向とは逆の方向へ画面をスクロールさせ、フオーカス状態７２の選択肢７１がホームポジションに位置から抜けだすと次にホームポジションに来る選択肢７１がフォーカス状態とすることで、フォーカス状態７２がタッチパネル２１による左側方向への移動操作に伴って移動するようにする（ステップ１１５）。このホームポジションを維持しつつ画面をスクロールさせる動作を図５で説明する。
【００３３】
図５の（ａ）図において、この実施の形態では、ホームポジションを固定カーソル移動エリア７０の所定の位置に所定の範囲（横幅）で設定している。即ち、固定カーソル移動エリア７０の左右方向の中央にＱの横幅の範囲を備えたホームポジションを設定している。タッチパネル２１により左側方向への操作指示Ｑ１がなされると、固定カーソル移動エリア７０内は操作指示Ｑ１の方向へ画面スクロールする。この場合、（ｂ）図に示すように、フオーカス状態７２の選択肢７１ａは操作指示Ｑ１にしたがって移動するが、（ｃ）図に示すように、選択肢７１ａの中心Ｑ３がホームポジションの範囲を越えると、次にホームポジションに移動する選択肢７１ｂをフオーカス状態７２として、これが（ｄ）図のように右側Ｑ２へ移動する。そして、この動きが繰り替えされることにより、タッチパネル２１により左側方向への操作指示Ｑ１にしたがって選択肢７１が次々にフオーカス状態７２となる。
【００３４】
図２に戻り、しかし、選択肢７１の配列が終端となると、ホームポジションを維持しようとする動作では最終の選択肢７１をフオーカス状態７２とすることができない。そこで、この実施の形態では、Ｘ軸方向の操作が継続されると、画面スクロールが終了したか否かを監視し（ステップ１１７）、画面スクロールが終了すると、図４の（ｃ）図に示すように、フオーカス状態７２をタッチパネル２１の座標指示方向（左側方向）へ移動させ（ステップ１１９）、画面スクロールが終了しないと、このステップ１１９をバイパスしてステップ１１２に至る。そして、ステップ１２１では、タッチパネル２１のタッチが解除されたか否かが監視され、タッチ操作が解除されると、フオーカス状態７２がホームポジションに存在する選択肢７１に移動し、タッチ操作が解除されなければステップ１１５に戻る。
【００３５】
また、ステップ１０９において、Ｙ軸方向の操作が行われると、制御装置１０は、図４の（ｄ）図に示すように、当該Ｙ軸方向の操作が予め設定された移動量を越えたか否かが判定され（ステップ１２３）、越えなければステップ１１１に至り、越えていれば固定カーソル移動エリア７０の近傍に自由カーソル移動エリア６０内にカーソル５１を表示させて、この自由カーソル移動エリア６０内でのカーソル５１の移動を可能とする（ステップ１２６）。
【００３６】
このように、この実施の形態では、タッチパネル２１での座標指示がさほど精度がよいものでないので、所定の移動量がないものは誤差として無視し、所定の移動量を越えたものを指示操作と判定する。
【００３７】
さて、この実施の形態では、ステップ１１１において決定操作がされないとステップ１０７に戻し、決定操作がなされると、当該選択肢７１に割り当てられた機能を実行する（ステップ１１３）。この実施の形態では、選択肢７１をコンテンツを開くアイコンとしているので、この機能の実行では、コンテンツを開く動作を行う。
【００３８】
次に、図７の画面遷移図を参照しながら、図６の動作フローチャートを基にスイッチエリア８０におけるカーソルの操作方法を説明する。
【００３９】
図６において、この実施の形態に係る制御装置１０は、スライダ形状のスイッチエリア８０を備えたメニュー画面である表示画面５０を表示すると（ステップ１３１）、カーソル５１がスイッチエリア８０に入ったか否かを監視する（ステップ１３３）。そして、制御装置１０は、図７の（ａ）図に示すように、カーソル５１がスイッチエリア８０に入ると、カーソル５１を消し、（ｂ）図に示すように、指示部材８１となるスライダを強調表示する（ステップ１３５）。そして、制御装置１０は、タッチパネル２１によるＸ軸方向の操作がなされたか否か（ステップ１３７）またはＹ軸方向の操作がなされたか否か（ステップ１３９）を監視する。
【００４０】
ステップ１３７において、制御装置１０は、（ｃ）図に示すように、Ｘ軸方向の操作がなされるとタッチパネル２１による移動方向に指示部材８１を移動させ（ステップ１４５）、タッチパネル２１のタッチ操作が解除されたか否かを監視し（ステップ１４７）、解除されれば指示部材８１をホームポジションである中央に戻してステップ１３５に進める。
【００４１】
一方、ステップ１３９において、（ｄ）図に示すように、Ｙ軸方向の操作がなされると、制御装置１０は、当該Ｙ軸方向の操作が予め設定された所定の移動量を越えたか否かを判定し（ステップ１４１）、越えて否けらばステップ１３７に戻し、越えていれば、（ｄ）図に示すように、スイッチエリア８０近傍の自由カーソル移動エリア６０内にカーソル５１を表示させる（ステップ１３）。
【００４２】
このように、この実施の形態では、タッチパネル２１の操作精度が悪いので、タッチするターゲットが大きいスイッチエリア８０にカーソル５１が入れば、操作指示部分である指示部材８１をフオーカス状態７２として操作可能とする。また、所定の移動量がないものは誤差として無視し、所定の移動量を越えたものを指示操作と判定して、スイッチエリア８０の選択を解除している。
【００４３】
以上述べたように、表示装置の表示画面上にカーソルを表示し、座標指示装置からの座標指示信号を受け付けて、当該座標指示信号に沿って前記カーソルを移動させる制御装置を備えたこの実施の形態に係る情報処理装置とその表示方法では、前記表示画面上に、自由なカーソルの移動を可能にする自由カーソル移動エリアと、エリア内の複数の選択肢の中で特定の選択肢の１つを常に選択されたフオーカス状態とする固定カーソル移動エリアとを表示し、前記自由カーソル移動エリアから前記固定カーソル移動エリアへの前記カーソルの進入操作に基づいて、前記自由カーソル移動エリア内での前記カーソルを消去して、前記固定カーソル移動エリアの所定の位置に位置する選択肢をフオーカス状態とし、前記座標指示装置の座標指示信号をＸ軸方向またＹ軸方向のいずれか一方の信号として受け付けて、いずれか一方の前記座標指示信号をフオーカス状態の移動として受け付け、他方の前記座標指示信号を前記固定カーソル移動エリアから前記自由カーソル移動エリアへの脱出操作として受け付け、他方の前記座標指示信号は、予め設定される移動量より大きい移動量と判定された場合に、前記固定カーソル移動エリア内でのフオーカス状態を解除して、前記自由カーソル移動エリアの所定の位置にカーソルを表示させる。
【００４４】
また、この場合、前記固定カーソル移動エリアに、一方の前記座標軸信号の方向に沿って前記選択肢が配列し、前記一方の前記座標軸信号を受け付けて、この座標軸信号と逆の方向に前記固定カーソル移動エリアの画面をスクロールさせる。
【００４５】
更に、前記表示画面に、エリア内の操作指示部材を移動させ指示操作とするスイッチエリアを表示し、前記自由カーソル移動エリアから前記スイッチエリアへの前記カーソルの進入操作に基づいて、前記自由カーソル移動エリア内での前記カーソルを消去して、前記スイッチエリアの所定の位置に配置される前記操作指示部材を選択状態とし、前記スイッチエリア内では、前記座標指示装置の前記座標指示信号をＸ軸方向またＹ軸方向のいずれか一方の信号として受け付けて、いずれか一方の前記座標指示信号を前記操作指示部材の操作指示として受け付け、他方の前記座標指示信号を前記スイッチエリアから前記自由カーソル移動エリアへの脱出操作として受け付け、他方の前記座標指示信号は、予め設定される移動量より大きい移動量と判定された場合に、前記スイッチエリア内での選択状態を解除して、前記自由カーソル移動エリの所定の位置にカーソルを表示させる。
【図面の簡単な説明】
【００４６】
【図１】情報処理装置の装置構成図である。
【図２】固定カーソル移動エリアにおけるカーソルの表示に関する動作フロー図である。
【図３】固定カーソル移動エリアにおけるカーソルの移動を示す画面遷移図である。
【図４】固定カーソル移動エリアにおけるカーソルの移動を示す画面遷移図である。
【図５】固定カーソル移動エリアにおけるカーソルの移動を示す画面遷移図である。
【図６】スイッチエリアにおけるカーソルの表示に関する動作フロー図である。
【図７】スイッチエリアにおけるカーソルの移動を示す画面遷移図である。
【符号の説明】
【００４７】
１…情報処理装置、１０…制御装置、１１…チューナ、１２…記憶装置、１３…通信装置、１４…キーボード、１５…マウス、１６…外部接続装置、１７…送受信装置、１８…表示装置、１９…筺体、２０…リモコン、２１…タッチパネル、２２…操作スイッチ群、５０…表示画面、５１…カーソル、６０…自由カーソル移動エリア、７０…固定カーソル移動エリア、７１…選択肢、７２…フオーカス状態、８０…スイッチエリア、８１…指示部材、８２…選択状態。
【図１】
0004951570.tif 000002
【図２】
0004951570.tif 000003
【図３】
0004951570.tif 000004
【図４】
0004951570.tif 000005
【図５】
0004951570.tif 000006
【図６】
0004951570.tif 000007
【図７】
0004951570.tif 000008